(57)【要約】【課題】生活空間が限られている場合であっても、間仕切り壁で仕切られた各室を窮屈な思いをすることなく使用することができる、間仕切り構造を提供する。【解決手段】間仕切り壁３が、仕切られる例えばトイレ室１と洗面脱衣室２との占有割合を変化させることができるように、移動可能に設置されている。【選択図】      図１
2005240438.tif 000002
【特許請求の範囲】
【請求項１】
間仕切り壁が、仕切られる第１室と第２室の占有割合を変化させることができるように、移動可能に設置されていることを特徴とする間仕切り構造。
【請求項２】
前記第１室がトイレ室であり、第２室が洗面脱衣室である請求項１に記載の間仕切り構造。
【請求項３】
前記第１室がウォークインクロゼット室であり、第２室が洗面化粧室であり、ウォークインクロゼット室のウォークインスペースを利用してウォークインクロゼット室と洗面化粧室の占有割合を変化させることができるようになされている請求項１に記載の間仕切り構造。
【請求項４】
前記第１室が在宅オフィスであり、第２室に洗い場が備えられている請求項１に記載の間仕切り構造。
【発明の詳細な説明】
【技術分野】
【０００１】
本発明は、間仕切り構造に関する。
【背景技術】
【０００２】
生活空間を固定の間仕切り壁で一方の室ともう一方の室とに仕切ることは従来より行われている。
【発明の開示】
【発明が解決しようとする課題】
【０００３】
しかしながら、固定の間仕切り壁では、間仕切り壁で仕切られた両室の広さも固定になってしまい、生活空間が限られている場合には、固定の間仕切り壁で室を仕切るといずれの室も狭いものになって窮屈な思いをすることがあるし、また、間仕切り壁を設置すると窮屈であるがゆえに一方の室を断念して間仕切り壁を設置しないこともある。
【０００４】
本発明は、上記のような問題点に鑑み、生活空間が限られている場合であっても、間仕切り壁で仕切られた各室を窮屈な思いをすることなく使用することができる、間仕切り構造を提供することを課題とする。
【課題を解決するための手段】
【０００５】
上記の課題は、間仕切り壁が、仕切られる第１室と第２室の占有割合を変化させることができるように、移動可能に設置されていることを特徴とする間仕切り構造によって解決される。
【０００６】
この間仕切り構造では、両室の合計広さが限られたものであっても、間仕切り壁を移動し、第２室を狭くすることで第１室を広くすることができると共に、第１室を狭くすることで第２室を広くすることができ、間仕切り壁で仕切られた各室を窮屈な思いをすることなく使用することができる。
【０００７】
上記の間仕切り構造において、第１室がトイレ室であり、第２室が洗面脱衣室であるとよい。この場合は、トイレ室で介護が必要なときは、間仕切り壁を移動してトイレ室を広くすることにより、トイレ室での介護を窮屈な思いをすることなく行うことができる。また、トイレ室で介護をしていないときは、間仕切り壁を移動して洗面脱衣室を広くすることにより、窮屈な思いをすることなく洗面や脱衣等を行うことができる。
【０００８】
また、上記の間仕切り構造において、第１室がウォークインクロゼット室であり、第２室が洗面化粧室であり、ウォークインクロゼット室のウォークインスペースを利用してウォークインクロゼット室と洗面化粧室の占有割合を変化させることができるようになされているのもよい。この場合は、洗面化粧室を使うときは、間仕切り壁を移動してウォークインクロゼット室のウォークインスペースを狭くすることで洗面化粧室を広くすることができ、窮屈な思いをせずに洗面や化粧を行うことができる。また、衣類の取出しや着替えを行うときは、間仕切り壁を移動して洗面化粧室を狭くし、ウォークインクロゼット室のウォークインスペースを広くすることにより、ウォークインクロゼット室に入ることができる。
【０００９】
また、上記の間仕切り構造において、第１室が在宅オフィスであり、第２室に洗い場が備えられているのもよい。この場合は、在宅オフィスを使用するときは、間仕切り壁を移動して洗い場の備えられている第２室を狭くすることにより、窮屈な思いをすることなく仕事をすることができる。また、仕事中に洗い場を一時的に使用するとき、あるいは、仕事をしないときは、仕切り壁を移動し、在宅オフィスを狭くすることで、洗い場を窮屈な思いをすることなく使用することができる。
【発明の効果】
【００１０】
本発明は、以上のとおりのものであるから、生活空間が限られている場合であっても、間仕切り壁で仕切られた各室を窮屈な思いをすることなく使用することができる。
【発明を実施するための最良の形態】
【００１１】
次に、本発明を住宅に適用した場合の最適実施形態について、図面を基に説明していく。
【００１２】
図１に示す第１実施形態の間仕切り構造は、第１室としてのトイレ室１と、第２室としての洗面脱衣室２とを仕切る間仕切り壁３が、トイレ室１と洗面脱衣室２の占有割合を変化させることができるように、各室１，２の側に接近・離反の移動を行えるように設置されたものである。なお、５は浴室である。
【００１３】
本実施形態で用いられている間仕切り壁３は、図４に示すように、収納部４ａや、給水蛇口４ｂと流し部４ｃ、ミラー４ｄ等の洗い場設備４が備えられたものからなっていて、これらをトイレ室１の側から使用できるようになっている。
【００１４】
間仕切り壁３の移動は、例えば、間仕切り壁３が天井側に設けられたレールに吊られ、間仕切り壁３の床側が、レール機能を持たせた幅木でガイドされるというような、吊り式のレールガイド方式で行われるようになされているとよい。
【００１５】
そして、間仕切り壁３を移動しても、給水蛇口４ｂと流し部４ｃを使用できるよう、図４及び図５に示すように、間仕切り壁３の側部に間仕切り壁３と一体になって移動するパイプスペース６が設けられ、このパイプスペース６内で、間仕切り壁３側の給水管７ａ、排水管８ａと、床側の給水管７ｂ、排水管８ｂとが、フレキシブルパイプ７ｃ，８ｃで接続されている。
【００１６】
上記の間仕切り構造では、トイレ室１で介護が必要なときは、図１（ロ）に示すように、間仕切り壁３を移動してトイレ室１を広くすることにより、トイレ室１での介護が可能となる。また、トイレ室１で介護を行わないときは、図１（イ）に示すように、間仕切り壁３を移動して洗面脱衣室２を広くすることにより、窮屈な思いをすることなく洗面や脱衣を行うことができ、また、広くなったスペースを洗濯の物干しスペースとして利用することも可能となる。
【００１７】
図２に示す第２実施形態の間仕切り構造は、第１室としてのウォークインクロゼット室１１と、第２室としての洗面化粧室１２とを仕切る間仕切り壁３が、ウォークインクロゼット室１１のウォークインスペース１１ａを利用して、ウォークインクロゼット室１１と洗面化粧室１２の占有割合を変化させることができるように、各室１１，１２の側に接近・離反の移動を行えるように設置されたものである。
【００１８】
間仕切り壁３には、第１実施形態の場合と同様に、収納部や、給水蛇口と流し部、ミラー等の洗い場設備４が備えられ、これらを洗面化粧室１２の側から使用できるようになっている。また、ウォークインスペース１１ａを挟む一方のハンガーバー１４は間仕切り壁３に備えられている。
【００１９】
なお、本実施形態では、図２（ロ）に示すように、間仕切り壁３を洗面化粧室１２側に移動してウォークインクロゼット室１１にウォークインスペース１１ａを形成すると、洗面化粧室１２はその占有スペースを失うように設計されており、空間に余裕がない場合の設計の一例である。
【００２０】
また、本実施形態では、ウォークインクロゼット室１１と洗面化粧室１２とが主寝室などの居室１３と隣り合っていて、間仕切り壁３を、図２（イ）に示すように、ウォークインクロゼット室１１の側に移動すると、洗面化粧室１２と居室１３とが行き来可能に開かれる一方で、ウォークインクロゼット室１１は行き来不能に閉じられ、図２（ロ）に示すように、間仕切り壁３を洗面化粧室１２の側に移動すると、ウォークインクロゼット室１１と居室１３とが行き来可能に開かれる一方で、洗面化粧室１２が行き来不能に閉じられるようになされている。
【００２１】
本実施形態の間仕切り構造では、洗面化粧室１２を使うときは、図２（イ）に示すように、間仕切り壁３をウォークインクロゼット室１１の側に移動しウォークインスペース１１ａをなくすことで、洗面化粧室１２を広くすることができ、洗面化粧室１２で洗面や化粧を行うことができる。また、衣類の取出しや着替えを行うときは、間仕切り壁３を洗面化粧室１２の側に移動して洗面化粧室１２のスペースをなくし、ウォークインクロゼット室１１のウォークインスペース１１ａを形成することにより、ウォークインクロゼット室１１に入ることができる。
【００２２】
しかも、本実施形態では、両室１１，１２が居室１３と隣り合い、間仕切り壁３を移動して、ウォークインクロゼット室１１と洗面化粧室１２のいずれか一方の室を広くしたときに、その室が居室１３に対して開かれ、もう一方の室が閉じられるようになされているので、間仕切り壁３を移動した後の各室１１，１２への出入と閉鎖をスムーズに行うことができる。
【００２３】
また、限られた空間のなかで、ウォークインクロゼット室１１に隣接して洗面化粧室１２を設置することのできる、斬新な間仕切り構造であり、外出時の身支度、帰宅後の着替えとケアー等を近場で便利に行うことができる。
【００２４】
図３に示す第３実施形態の間仕切り構造は、第１室としての在宅オフィス１６と第２室１７とを仕切る間仕切り壁３が、在宅オフィス１６と第２室１７の占有割合を変化させることができるように、各室１６，１７の側に接近・離反の移動を行えるように設置されたものである。
【００２５】
間仕切り壁３には、第１、第２実施形態の場合と同様に、洗い場設備４が備えられ、これを第２室１７の側から使用できるようになっている。また、間仕切り壁３には、在宅オフィス１６の側において第１棚１８が備えられている。そして、在宅オフィス１６には、デスク２０が間仕切り壁３との間に着席スペース１６ａをおくようにして設置され、この着席スペース１６ａを利用して在宅オフィス１６を狭くするように間仕切り壁３を移動させることができるようになされている。２１は椅子、１９は第２棚である。なお、図３（イ）に示すように、間仕切り壁３を第２室１７側に移動して在宅オフィス１６を広くすると、第２室１７はその占有スペースを失うように設計されており、空間に余裕がない場合の設計の一例である。
【００２６】
本実施形態の間仕切り構造では、在宅オフィス１６を使用するときは、間仕切り壁３を移動し洗い場設備４の備えられている第２室１７を狭くしていくことにより、着席スペース１６ａを確保して窮屈な思いをすることなく仕事を行うことができる。また、仕事中に洗い場４を一時的に使用するとき、あるいは、仕事をしないときは、間仕切り壁３を移動し、着席スペース１６ａを利用して在宅オフィス１６を狭くすることにより、洗い場４の備えられている第２室１７を使用することができる。
【００２７】
以上に、本発明の実施形態を示したが、本発明はこれに限られるものではなく、発明思想を逸脱しない範囲で各種の変更が可能である。例えば、上記の各実施形態では、間仕切り壁３が洗い場設備４を備えている場合を示しているが、間仕切り壁として、そのような設備や家具機能の備えられていない単純間仕切り壁が用いられていてもよい。また、上記の実施形態では、本発明の間仕切り構造を、トイレと洗面脱衣室との間の間仕切り壁、ウォークインクロゼット室と洗面化粧室との間の間仕切り壁、及び、在宅オフィスと洗い場の備えられた第２室との間の間仕切り壁に適用した場合を示したが、本発明は、種々の隣り合う二つの室の間の間仕切り壁に広く用いることができるものである。
【図面の簡単な説明】
【００２８】
【図１】図（イ）及び図（ロ）はそれぞれ、第１実施形態の間仕切り構造の使用状態を示す住宅部分平面図である。
【図２】図（イ）及び図（ロ）はそれぞれ、第２実施形態の間仕切り構造の使用状態を示す住宅部分平面図である。
【図３】図（イ）及び図（ロ）はそれぞれ、第３実施形態の間仕切り構造の使用状態を示す住宅部分平面図である。
【図４】各実施形態に共通の間仕切り壁を示す斜視図である。
【図５】図（イ）及び図（ロ）は同間仕切り壁の移動に伴う給排水系の動きを示す断面側面図である。
【符号の説明】
【００２９】
１…トイレ室（第１室）
２…洗面脱衣室（第２室）
３…間仕切り壁
４…洗い場設備
１１…ウォークインクロゼット室（第１室）
１１ａ…ウォークインスペース
１２…洗面化粧室（第２室）
１６…在宅オフィス（第１室）
１６ａ…着席スペース
１７…第２室
【図１】
2005240438.tif 000003
【図２】
2005240438.tif 000004
【図３】
2005240438.tif 000005
【図４】
2005240438.tif 000006
【図５】
2005240438.tif 000007